(57)【要約】      （修正有）【課題】ランヤード付きの墜落制止用器具（フルハーネス安全帯）を装着したまま容易に着脱可能な作業衣服を提供する。【解決手段】ランヤードＬ付きの墜落制止用器具を装着した上に装着する作業衣服１０であって、背面の襟元から垂直方向にファスナー部１を備えてなる。ファスナー部は、スライダー１ｓを上端１ｕから下端１ｌにかけて、上位から下位に降ろすことにより装着できる仕組みを備え、普通服、空調服、防寒服または雨具等の用途に用いられる。【選択図】図１
2020193417.tif 000002
【特許請求の範囲】
【請求項１】
ランヤード付きの墜落制止用器具を装着した上に装着する作業衣服であって、背面の襟元から垂直方向にファスナー部を備えてなる作業衣服。
【請求項２】
前記ファスナー部は、スライダーを上位から下位に降ろすことにより装着できる仕組みを備える、請求項１記載の作業衣服。
【請求項３】
前記ファスナー部の長さは、１５ｃｍ〜２５ｃｍの範囲内にある、請求項１又は２記載の作業衣服。
【請求項４】
普通服、空調服、防寒服または雨具の用途に用いられる、請求項１〜３の何れかに記載の作業衣服。
【請求項５】
前記ファスナー部の下端近傍の背面内側に、ゴム材が取り付けられている、請求項１〜４の何れかに記載の作業衣服。
【発明の詳細な説明】
【技術分野】
【０００１】
本発明は、ランヤード付きの墜落制止用器具（フルハーネス安全帯）を装着したまま容易に着脱可能な作業衣服に関する。
【背景技術】
【０００２】
従来から、高所等の作業現場で作業をする際に、ランヤード付きの墜落防止器具（フルハーネス安全帯）の装着が義務付けられている。そして、この墜落防止器具を装着した上に、当該器具のショックアブソーバ付きのランヤードを通すための開口部が背中部分に設けられた作業衣服が使用されている。
【０００３】
しかし、従来は、墜落防止器具を装着して作業衣服を着る際に、まず器具の背中部分のランヤードを取り外し、次いで作業衣服を着てから、作業衣服の背面の開口部からランヤードを他者に取り付けてもらう必要があった。また、墜落防止器具を装着して作業衣服を脱ぐ際には、上記と逆のことが必要となる。
【０００４】
また、周囲に協力者がいない場合は、このような作業衣服を墜落防止器具の上に装着した状態から、作業衣服と器具とを一緒に脱がなければならなかった。このように、従来の作業衣服は、墜落防止器具の上に装着する際には、容易に着脱することは困難であった。
【０００５】
このため、墜落防止器具（フルハーネス安全帯）ランヤード付きに対応して、装着者自身が一人で作業衣服を容易に脱着出来るようにすることが要望されていた。
【発明の概要】
【発明が解決しようとする課題】
【０００６】
本発明は、ランヤード付きの墜落制止用器具（フルハーネス安全帯）を装着したまま容易に着脱可能な作業衣服を提供することを目的とする。
【課題を解決するための手段】
【０００７】
本発明者は、前記課題を解決するべく鋭意研究した結果、作業衣服の背面から襟元にかけて特定の構造を設けることにより、前記目的を達成し得ることの知見を得た。
【０００８】
本発明は、前記知見に基づきなされたもので、下記の発明を提供するものである。
【０００９】
１．ランヤード付きの墜落制止用器具（フルハーネス安全帯）を装着した上に装着する作業衣服であって、背面の襟元から垂直方向にファスナー部を備えてなる作業衣服。
【００１０】
２．前記ファスナー部は、スライダーを上位から下位に（首から背中に）降ろすことにより装着できる仕組みを備える、前記１記載の作業衣服。
【００１１】
３．前記ファスナー部の長さは、１５ｃｍ〜２５ｃｍの範囲内にある、前記１又は２記載の作業衣服。
【００１２】
４．普通服、空調服、防寒服または雨具の用途に用いられる、前記１〜３の何れかに記載の作業衣服。
【００１３】
５．前記ファスナー部の下端近傍の背面内側に、ゴム材が取り付けられている、前記１〜４の何れかに記載の作業衣服。
【発明の効果】
【００１４】
本発明によれば、墜落防止器具（フルハーネス安全帯）ランヤード付きに対応して、装着者自身が一人で作業衣服を容易に脱着可能となる。
【図面の簡単な説明】
【００１５】
【図１】本発明の一実施形態に係る作業衣服について、墜落防止器具ランヤード付きを付けたまま装着した場合の背面から見た状態を示す概略図である。
【図２】図１の作業衣服を装着しようとする際の状態を示す概略図である。
【図３】図１の作業衣服を装着中の状態を示す概略図である。
【図４】図１の作業衣服を装着した後の状態を示す概略図である。
【発明を実施するための形態】
【００１６】
以下、本発明について、その好ましい実施形態に基づき詳細に説明する。
本発明の一実施形態に係る作業衣服（作業服）は、図１に示すように、ランヤードＬ付きの墜落制止用器具（フルハーネス安全帯）を装着した（図１では作業衣服の内部のため見えない）上に装着する作業衣服１０である。そして、作業衣服１０は、その背面の襟元から垂直方向にファスナー部１を備えている。
【００１７】
本実施形態の作業衣服１０は、このような構成からなるため、墜落防止器具（フルハーネス安全帯）ランヤードＬ付きに対応して、装着者自身が一人で作業衣服を容易に脱着可能となる。なお、ここで使用されるランヤードＬとしては、通常、Ｄ環を介してフルハーネス安全帯に接続可能なショックアブソーバ付きのランヤードが使用される。
【００１８】
ファスナー部１としては、作業衣服１０の背面中央部の襟元から垂直方向に、上止を有する上端１ｕと、下止を有する下端１ｌと、および上端１ｕおよび下端１ｌの間に設けられたエレメント（務歯）とを備えたものが用いられる。なお、ファスナー部１の構成部材である上止、下止およびエレメントは図１に図示していない。これらの構成部材は、ファスナーとして通常用いられるものを制限なく利用できる。
【００１９】
ファスナー部１は、開いた状態からスライダー１ｓを上位から下位に（首から背中に対応する位置にかけて）降ろすことにより装着できる仕組みを備えている。逆に、作業衣服１０を脱ぐ際には、閉じた状態からスライダー１ｓを下位から上位に上げることにより脱衣できる仕組みを備えている。このような仕組みを備えた作業衣服１０を使用することで、墜落防止器具ランヤード付きに対応して、装着者自身が一人で作業衣服１０をより一層容易に脱着可能となる。
【００２０】
ファスナー部１の長さ（上端１ｕおよび下端１ｌの上止と下止との間の長さ）は、本発明の効果を向上できる点で、１５ｃｍ〜２５ｃｍの範囲内にあることが好ましい。
【００２１】
なお、ファスナー部１の長さ、幅、方向は、作業衣服１０に対応して変更が出来る。
本実施形態に用いられるファスナー部１は、用途に応じて素材を変え対応することができる。
【００２２】
また、ファスナー部１の下端に、左右の水平方向に突出した補強体２が設けられている。かかる補強体２を備えることで、ファスナー部１の強度を高め、より一層作業衣服１０の着脱を容易にできるため好ましい。補強体２は、左右のそれぞれ一方の長さが５ｃｍ乃至１０ｃｍの範囲内にあることが、ファスナー部１を閉じた際にできる開口をより補強できるため好ましい。
【００２３】
さらに、ファスナー部１の下端近傍の背面内側には、伸縮性を備えたゴム材３が取り付けられている。ゴム材３が取り付けられていることにより、ファスナー部１を閉じてできた開口（ランヤードが通る穴）の強度を、前記の補強体２とともにより一層高めることが可能となる。ゴム材３の形態等は特に制限されないが、特にファスナー部１の下端１ｌ近傍の背面の左右両内側に設けられることが好ましい。
【００２４】
本実施形態に係る作業衣服１０は、用途に応じて素材、デザインを変えても量産可能である。
また、どのような作業衣服においても、墜落防止器具（フルハーネス安全帯）ランヤード付き対応として衣服を提供出来る。
【００２５】
本実施形態に係る作業衣服１０は、その用途に制限されるものではなく、種々のものに用いられる。例えば、普通服、空調服、防寒服または雨具（レインコート、カッパ）として用いられることで、それぞれの用途に応じた機能を発揮できるため好ましい。
【００２６】
また、作業衣服１０は、必要に応じ、夏季等の暑い時期に、一部に開口部を設けて空調服として使用することができる。
【００２７】
次に、本実施形態の作業衣服１０の使用例について、図２〜４を示して説明する。
まず、墜落防止器具（フルハーネス安全帯）ＨのランヤードＬ付きを装着した状態でランヤードＬを一度肩に乗せ、図２に示す作業衣服１０を着る。ランヤード安全帯フックは各所にあるＤかんに掛ける。図２に示すように、作業衣服１０を装着しようとする際に、墜落制止用器具ＨのランヤードＬ付きを装着したまま、ランヤードＬが外に出るように背面の内側下から左右の袖を通す。そして、作業衣服１０の正面（前部分）（図示せず）を整えた後、図３に示すように、作業衣服１０における首から背中に相当する位置に設置してあるファスナー部１（下から上は開き、上から下は閉まる機能を備える）の上端１ｕに相当する左右両側をスライダー１ｓによって両手で止める。次いで、図４に示すように、スライダー１ｓを上端１ｕから下端１ｌにかけて下ろすことにより、作業衣服１０を装着した後の状態となる。
【００２８】
また、作業衣服１０を脱ぐ際には、上記の装着の逆の作業をすればよい。すなわち、図４、図３、図２の作業を順次することにより可能である。まず、図４に示すように、ファスナー部１を軽く上に持ち上げたのちに、補強体２の近傍にあるスライダー１ｓを下端１ｌから上端１ｕにかけて上げる。これにより、図３に示すように、作業衣服１０のファスナー部１が外れた状態となり、ファスナー部１が完全に開きその部分に肩に乗せていたランヤードＬを持っていく（降ろす）。そして、作業衣服１０の正面（前部分）（図示せず）も取り外した後、図２に示すように、墜落制止用器具ＨのランヤードＬ付きを装着したまま、作業衣服１０の左右の袖を外し、背面のランヤードＬより内側下から作業衣服１０を取り出す。
【００２９】
以上のように、作業衣服１０における背中に対応する位置にあるファスナー部１を軽く持ち上げ開いているファスナー部１のスライダー１ｓを上から下に降ろし閉じる。そうすることにより、フルハーネス安全帯である落下防止器具（ランヤード付き）を装着したままで作業衣服１０を着ることができる構造になっている。
【００３０】
フルハーネス安全帯である落下防止器具Ｈ（ランヤードＬ付き）を装着した上に着た作業衣服１０を脱ぐ場合は、首から背中に対応する位置にあるファスナー部１のスライダー１ｓを下から上にあげる。これにより、ファスナー部１が開きランヤードＬを開いたファスナー部１から取り出し作業衣服１０をそのまま脱げる構造になっている。
【００３１】
本発明に係る作業衣服は、春夏秋冬、暑いとき寒いとき作業中フルハーネス安全帯（ランヤード付き）を装着したまま着たり脱げたりするので、作業に支障をきたすことなく効率が良い作業着となる。
【産業上の利用可能性】
【００３２】
本発明は、墜落防止器具（フルハーネス安全帯）ランヤード付きに対応して容易に脱着出来るようにした作業衣服として、産業上の利用可能性を有する。
【符号の説明】
【００３３】
１０…  作業衣服
１…  ファスナー部
１ｕ…  ファスナー部上端
１ｌ…  ファスナー部下端
１ｓ…  スライダー
２…  補強体
３…  ゴム材
Ｈ…  墜落制止用器具（フルハーネス安全帯）
Ｌ…  ランヤード
【図１】
2020193417.tif 000003
【図２】
2020193417.tif 000004
【図３】
2020193417.tif 000005
【図４】
2020193417.tif 000006
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
ランヤード付きの墜落制止用器具を装着したままその上に装着する着脱可能な作業衣服であって、
背面の襟の上端から垂直方向にファスナー部を備え、
前記ファスナー部は、スライダーを上位から下位に降ろすことによって開いた状態から閉じた状態にでき、スライダーを下位から上位に上げることによって閉じた状態から開いた状態にできる仕組みを備える作業衣服。
【請求項２】
前記ファスナー部の長さは、１５ｃｍ〜２５ｃｍの範囲内にある、請求項１記載の作業衣服。
【請求項３】
空調服、防寒服または雨具の用途に用いられる、請求項１又は２に記載の作業衣服。

【手続補正２】
【補正対象書類名】明細書
【補正対象項目名】０００９
【補正方法】変更
【補正の内容】
【０００９】
１．ランヤード付きの墜落制止用器具を装着したままその上に装着する着脱可能な作業衣服であって、
背面の襟の上端から垂直方向にファスナー部を備え、
前記ファスナー部は、スライダーを上位から下位に降ろすことによって開いた状態から閉じた状態にでき、スライダーを下位から上位に上げることによって閉じた状態から開いた状態にできる仕組みを備える作業衣服。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
２．前記ファスナー部の長さは、１５ｃｍ〜２５ｃｍの範囲内にある、前記１記載の作業衣服。
【手続補正５】
【補正対象書類名】明細書
【補正対象項目名】００１２
【補正方法】変更
【補正の内容】
【００１２】
３．空調服、防寒服または雨具の用途に用いられる、前記１又は２に記載の作業衣服。
【手続補正６】
【補正対象書類名】明細書
【補正対象項目名】００１３
【補正方法】削除
【補正の内容】